(57)【要約】【課題】塵埃回収部内の塵埃をより一層圧縮することができる空気調和機を提供する。【解決手段】室内機に内蔵されたエアフィルタに付着した塵埃を自動的に清掃するフィルタ清掃機能を備える空気調和機であって、エアフィルタに付着した塵埃を除去するブラシと、ブラシの下方に設けられた塵埃回収部と、ブラシに付着した塵埃を塵埃回収部に掻き落とすブレードと、ブレードを回転させることにより、塵埃回収部内に掻き落とした塵埃をブレードの側面と塵埃回収部の内表面との間で圧縮するブレード回転装置とを備える。【選択図】図１５
2014074504.tif 000002
【特許請求の範囲】
【請求項１】
室内機に内蔵されたエアフィルタに付着した塵埃を自動的に清掃するフィルタ清掃機能を備える空気調和機であって、
前記エアフィルタに付着した塵埃を除去するブラシと、
前記ブラシの下方に設けられた塵埃回収部と、
前記ブラシに付着した塵埃を前記塵埃回収部に掻き落とすブレードと、
前記ブレードを回転させることにより、前記塵埃回収部内に掻き落とした塵埃を前記ブレードの側面と前記塵埃回収部の内表面との間で圧縮するブレード回転装置と、
を備える空気調和機。
【請求項２】
前記ブレードの回転軸は、前記ブレードの基端部近傍に位置する、請求項１に記載の空気調和機。
【請求項３】
前記ブレード回転装置は、前記ブレードを正逆両方向に回転させる、請求項１又は２に記載の空気調和機。
【請求項４】
前記ブレードが回転する際、前記ブレードの先端部が前記塵埃回収部の内表面と接触するように構成されている、請求項１〜３のいずれか１つに記載の空気調和機。
【請求項５】
前記塵埃回収部は、前記ブレードの回転軌跡内に位置し、前記塵埃回収部内の空間を前後に区画する区画壁を備える、請求項１〜４のいずれか１つに記載の空気調和機。
【発明の詳細な説明】
【技術分野】
【０００１】
本発明は、室内機に内蔵されたエアフィルタに付着した塵埃を自動的に清掃するフィルタ清掃機能を備える空気調和機に関する。
【背景技術】
【０００２】
従来、この種の空気調和機としては、例えば、特許文献１（特許第４６０９５６１号公報）に開示されたものが知られている。
【０００３】
特許文献１の空気調和機は、エアフィルタに付着した塵埃を除去するブラシと、ブラシと対向する位置に設けられた圧縮ロッドとを備え、ブラシで除去した塵埃をブラシと圧縮ロッドとの間で一次圧縮するように構成されている。
【０００４】
また、特許文献１の空気調和機は、塵埃回収部に回収された塵埃が所定量に達したとき、圧縮ロッドの軸回りの回転により、圧縮ロッドと塵埃回収部の内周面との間に当該塵埃を搬送して二次圧縮するように構成されている。
【先行技術文献】
【特許文献】
【０００５】
【特許文献１】特許第４６０９５６１号公報
【発明の概要】
【発明が解決しようとする課題】
【０００６】
特許文献１の空気調和機においては、圧縮ロッドが棒状の部材であるので、圧縮ロッドを軸回りに回転させても、圧縮ロッドの近傍に存在する塵埃しか圧縮ロッドと塵埃回収部の内周面との間に搬送して二次圧縮することができない。すなわち、圧縮ロッドから離れて位置する塵埃（例えば、塵埃回収部の底部付近の塵埃）は、二次圧縮することができない。このため、特許文献１の空気調和機においては、塵埃回収部内の塵埃を圧縮する観点において未だ改善の余地がある。
【０００７】
従って、本発明の目的は、前記課題を解決することにあって、塵埃回収部内の塵埃をより一層圧縮することができる空気調和機を提供することにある。
【課題を解決するための手段】
【０００８】
前記従来の課題を解決するために、本発明の空気調和機は、室内機に内蔵されたエアフィルタに付着した塵埃を自動的に清掃するフィルタ清掃機能を備える空気調和機であって、
前記エアフィルタに付着した塵埃を除去するブラシと、
前記ブラシの下方に設けられた塵埃回収部と、
前記ブラシに付着した塵埃を前記塵埃回収部に掻き落とすブレードと、
前記ブレードを回転させることにより、前記塵埃回収部内に掻き落とした塵埃を前記ブレードの側面と前記塵埃回収部の内表面との間で圧縮するブレード回転装置と
を備えるように構成されている。
【発明の効果】
【０００９】
本発明の空気調和機によれば、前記構成を有することより、塵埃回収部内の塵埃をより一層圧縮することができる。
【図面の簡単な説明】
【００１０】
【図１】本発明の実施の形態にかかる空気調和機が備える室内機の断面図
【図２】エアフィルタの清掃開始時におけるエアフィルタの清掃に関連する装置及び部材の状態を模式的に示す断面図
【図３】フィルタ保持部の誘導部がエアフィルタの末端部を誘導する様子を模式的に示す断面図
【図４】エアフィルタに付着した塵埃をブラシが除去する様子を模式的に示す断面図
【図５】エアフィルタが第２保持空間に到達した状態を模式的に示す断面図
【図６】ブラシに付着した塵埃をブレードが除去する様子を模式的に示す断面図
【図７】ブラシに付着した塵埃をブレードが除去する様子を模式的に示す断面図
【図８】押圧部材が有する毛がエアフィルタの網目に侵入した状態を示す説明図
【図９】ブレードの清掃に関連する装置及び部材の動作を模式的に示す断面図
【図１０】ブレードの清掃に関連する装置及び部材の動作を模式的に示す断面図
【図１１】ブレード、ブレード保持部、及び塵埃回収部の構成を示す斜視図
【図１２】ブレード、ブレード保持部、及び塵埃回収部の構成を示す断面図
【図１３】ブラシの回転軌跡とブレードとの好ましい位置関係を示す説明図
【図１４】ブレードの変形例を示す断面図
【図１５】ブレードが塵埃回収部内に回収された塵埃を圧縮する様子を模式的に示す断面図
【発明を実施するための形態】
【００１１】
本発明の空気調和機は、室内機に内蔵されたエアフィルタに付着した塵埃を自動的に清掃するフィルタ清掃機能を備える空気調和機であって、
前記エアフィルタに付着した塵埃を除去するブラシと、
前記ブラシの下方に設けられた塵埃回収部と、
前記ブラシに付着した塵埃を前記塵埃回収部に掻き落とすブレードと、
前記ブレードを回転させることにより、前記塵埃回収部内に掻き落とした塵埃を前記ブレードの側面と前記塵埃回収部の内表面との間で圧縮するブレード回転装置と
を備える。
【００１２】
この構成によれば、ブレードを回転させることにより、塵埃回収部内に掻き落とした塵埃をブレードの側面と塵埃回収部の内表面との間で圧縮するようにしているので、塵埃回収部内の塵埃をより一層圧縮することができる。また、塵埃回収部内の塵埃を圧縮するのに、ブラシに付着した塵埃を塵埃回収部に掻き落とすブレードを利用するので、特許文献１の空気調和機のように圧縮専用の部材を設ける必要がない。
【００１３】
なお、前記ブレードの回転軸は、前記ブレードの基端部近傍に位置するように構成されることが好ましい。
【００１４】
この構成によれば、ブレードの側面でより多くの塵埃回収部内の塵埃を圧縮することができ、塵埃回収部内の塵埃の圧縮効率を向上させることができる。
【００１５】
また、前記ブレード回転装置は、前記ブレードを正逆両方向に回転させるように構成されることが好ましい。
【００１６】
この構成によれば、ブレードの両側面で塵埃回収部内の塵埃を圧縮することができ、塵埃回収部内の塵埃をより一層圧縮することができる。
【００１７】
また、前記ブレードが回転する際、前記ブレードの先端部が前記塵埃回収部の内表面と接触するように構成されることが好ましい。
【００１８】
この構成によれば、ブレードの先端部が塵埃回収部の内表面と接触することで、ブレードにより塵埃回収部内の塵埃をより広い範囲でかき集めることができ、塵埃回収部内の塵埃の圧縮効率をより一層向上させることができる。
【００１９】
また、前記塵埃回収部は、前記ブレードの回転軌跡内に位置し、前記塵埃回収部内の空間を前後に区画する区画壁を備えるように構成することが好ましい。
【００２０】
この構成によれば、塵埃回収部内の塵埃を、内表面となる区画壁の表面とブレードの側面との間でより効率良く圧縮することができる。
【００２１】
以下、本発明の実施の形態について、図面を参照しながら説明する。なお、この実施の形態によって本発明が限定されるものではない。
【００２２】
《実施の形態》
本発明の実施の形態にかかる空気調和機は、冷媒配管で互いに接続された室外機と室内機とで構成されている。図１は、本発明の実施の形態にかかる空気調和機の室内機の断面図である。
【００２３】
本実施の形態にかかる室内機は、本体２と、本体２の前面開口部２ａを開閉自在に塞ぐ可動式の前面パネル４とを備えている。空気調和機の運転停止時において、前面パネル４は、本体２に密着して前面開口部２ａを閉じるように設けられている。一方、空気調和機の空調運転時において、前面パネル４は、本体２から離反する方向に移動して前面開口部２ａを開放するように設けられている。なお、図１は、前面パネル４が前面開口部２ａを閉じた状態を示している。
【００２４】
本体２の内部には、熱交換器６と、前面開口部２ａ及び上面開口部２ｂから取り入れられた室内空気を熱交換器６で熱交換して室内に吹き出すためのファン８と、熱交換した空気を室内に吹き出す吹出口１０を開閉するとともに空気の吹き出し方向を上下に変更する上下風向変更羽根１２と、空気の吹き出し方向を左右に変更する左右風向変更羽根１４とが設けられている。
【００２５】
空気調和機が空調運転を開始すると、上下風向変更羽根１２が開制御されて吹出口１０が開放される。この状態でファン８が駆動されることで、室内空気が前面開口部２ａ及び上面開口部２ｂを介して室内機の内部に取り入れられる。取り入れられた室内空気は、熱交換器６で熱交換され、ファン８を通過し、ファン８の下流側に形成された通風路１６を通過して、吹出口１０より吹き出される。
【００２６】
また、前面開口部２ａ及び上面開口部２ｂと熱交換機６との間には、前面開口部２ａ及び上面開口部２ｂから取り入られた室内空気に含まれる塵埃を除去するためのエアフィルタ１８が設けられている。エアフィルタ１８は、枠体部分と、当該枠体部分に保持された網部分１８Ｂとを備えている。本実施の形態にかかる空気調和機は、エアフィルタ１８の網部分１８Ｂに付着した塵埃を自動的に清掃するフィルタ清掃機能を備えている。本実施の形態においては、エアフィルタ１８の網部分１８Ｂを「清掃領域」という。
【００２７】
エアフィルタ１８は、フィルタ保持部材２０により保持されている。フィルタ保持部材２０には、エアフィルタ１８を保持するための第１保持空間２０Ａと第２保持空間２０Ｂとが設けられている。エアフィルタ１８は、フィルタ搬送装置２２により第１保持空間２０Ａと第２保持空間２０Ｂに搬送される。
【００２８】
フィルタ搬送装置２２は、室内機の幅方向（図１では奥行き方向）に延在するシャフト２４と、シャフト２４の外周面の一部に取り付けられたギヤ２６とを備えている。エアフィルタ１８は、シャフト２４に架け回されるとともに、ギヤ２６と係合するように取り付けられる。
【００２９】
エアフィルタ１８は、通常、第１保持空間２０Ａ内に位置し、前面開口部２ａ及び上面開口部２ｂから取り入られた室内空気に含まれる塵埃を除去する。エアフィルタ１８の清掃開始が指示されると、ギヤ２６が正方向（図１では反時計回り）に回転し、エアフィルタ１８は、第１保持空間２０Ａから第２保持空間２０Ｂへ搬送される。エアフィルタ１８が第２保持空間２０Ｂに搬送されると、ギヤ２６が逆方向（図１では時計回り）に回転し、エアフィルタ１８は、第２保持空間２０Ｂから第１保持空間２０Ａへ搬送される。
【００３０】
なお、本実施の形態において、第１保持空間２０Ａから第２保持空間２０Ｂまでのエアフィルタ１８の搬送経路を「往路」といい、第２保持空間２０Ｂから第１保持空間２０Ａまでのエアフィルタ１８の搬送経路を「復路」という。
【００３１】
シャフト２４の近傍には、エアフィルタ１８がシャフト２４の周囲に沿って移動するようにガイドするガイド部材２８が設けられている。ガイド部材２８は、シャフト２４に対して所定の隙間を空けて設けられている。
【００３２】
また、シャフト２４の近傍には、エアフィルタ１８の表面に付着した塵埃を除去するブラシ（表面ブラシともいう）３０が設けられている。ブラシ３０の下方には、ブラシ３０に付着した塵埃を除去するブレード３２が設けられている。ブレード３２は、例えば、ゴムなど弾性体、好ましくは柔軟性のある軟質性弾性体により構成されている。
【００３３】
ブラシ３０の基端部３０Ｂは、ブラシ移動装置の一例であるブラシ保持部３４により保持されている。ブラシ３０及びブラシ保持部３４は、室内機の幅方向に延在するように設けられている。ブラシ保持部３４が室内機の幅方向に延在する回転軸３０Ｄを中心として回転することにより、ブラシ３０の末端部３０Ａは、ガイド部材２８よりも往路の下流側でエアフィルタ１８に接触する位置と、ブレード３２の末端部３２Ａに接触する位置とに移動する。ブラシ３０の末端部３０Ａがエアフィルタ１８に接触することによりブラシ３０に付着した塵埃は、ブラシ３０がブレード３２に接触することにより除去される。
【００３４】
ブレード３２の下方には、ブラシ３０及びブレード３２により除去した（掻き落とした）塵埃を回収する有底筒状の塵埃回収部３６が設けられている。ブレード３２の基端部３２Ｂは、ブレード回転装置の一例であるブレード保持部３８により保持されている。ブレード保持部３８は、軸回りに回転可能に設けられ、ブレード３２を正逆両方向に回転させることにより、塵埃回収部３６内に掻き落とした塵埃をブレード３２の側面と塵埃回収部３６の内表面との間で圧縮するように構成されている。
【００３５】
次に、図２〜図７を用いて、エアフィルタ１８に付着した塵埃を清掃する動作について説明する。図２〜図７は、エアフィルタ１８の清掃に関連する装置及び部材の動作を模式的に示す断面図である。なお、エアフィルタ１８の清掃動作は、図示しない制御部の制御の下で行われる。
【００３６】
図２に示すように、ブラシ保持部３４には、エアフィルタ１８の先端部（枠体部分）１８Ａがエアフィルタ１８の搬送経路から外れないように誘導する誘導部３４Ａが設けられている。誘導部３４Ａは、例えば、図２に示すような平坦面や、シャフト２４の外周面と同じ曲率を有する曲面で構成されている。エアフィルタ１８の清掃開始時において、ブラシ保持部３４は、ブラシ３０をエアフィルタ１８の搬送経路から遠ざけるとともに、誘導部３４Ａをシャフト２４と対向させる。
【００３７】
図２の状態からギヤ２６が正方向（図２では反時計回り）に回転されると、エアフィルタ１８の先端部１８Ａが、ブラシ保持部３４の誘導部３４Ａとシャフト２４との間に搬送される。このとき、ブラシ保持部３４の誘導部３４Ａは、図３に示すように、エアフィルタ１８の先端部１８Ａがエアフィルタ１８の搬送経路から外れないように誘導する。
【００３８】
エアフィルタ１８の先端部１８Ａがブラシ保持部３４の誘導部３４Ａとシャフト２４との間を通過するとき、ブラシ保持部３４が正方向（図３では反時計回り）に回転して、ブラシ３０の末端部３０Ａがエアフィルタ１８の先端部１８Ａと網部分１８Ｂとに跨るように接触する。
【００３９】
これによって、ブラシ３０がエアフィルタ１８に接触した時点で、ブラシ３０の末端部３０Ａがエアフィルタ１８の移動方向に向きながら接触して塵埃を溜めているので、末端部３０Ａが網部分１８Ｂに貫通して、エアフィルタ１８の網部分１８Ｂにブラシ３０が巻き込まれるのを防止することができる。
【００４０】
ギヤ２６が更に正方向に回転されると、エアフィルタ１８が更に第２保持空間２０Ｂへと搬送される。この搬送の間、ブラシ保持部３４は、図４に示すように、ブラシ３０をエアフィルタ１８と接触する位置で固定する。これにより、エアフィルタ１８に付着した塵埃は、定位置で固定されるブラシ３０で堰き止められ、ブラシ３０のエアフィルタ１８の搬送方向の上流側に溜められる。このとき、ブラシ３０に溜められた塵埃とエアフィルタ１８に付着した塵埃とが絡み合って紙縒のように纏まる。これにより、エアフィルタ１８に付着した塵埃の除去効率が向上される。
【００４１】
なお、ブラシ保持部３４は、ブラシ３０がエアフィルタ１８の清掃領域である網部分１８Ｂと接触している間中、ブラシ３０の固定状態を継続することが好ましい。これにより、エアフィルタ１８に付着した塵埃の除去効率を一層向上することができる。
【００４２】
なお、ブラシ保持部３４は、正方向（図３では反時計回り）に回転してブラシ３０の末端部３０Ａがエアフィルタ１８の先端部Ａと網部分１８Ｂとに跨るように接触するとしたが、ブラシ保持部３４が逆方向（図３では時計回り）に回転して、エアフィルタ１８に、同様に接触するとしてもよい。これによって、エアフィルタ１８が、ブラシ３０の逆回転によって、スムーズに移動するのを補助するので、エアフィルタ１８の撓みによる詰まりを防止できる。
【００４３】
また、図４に示すように、シャフト２４の外周面には、エアフィルタ１８を裏面側から表面側に押圧する押圧部材４０が設けられている。ブラシ３０は、押圧部材４０の一部がエアフィルタ１８の網目内に侵入するようにエアフィルタ１８が押圧部材４０により押圧された状態で、エアフィルタ１８に付着した塵埃を除去する。ブラシ３０がエアフィルタ１８の網目を貫通することを押圧部材４０で抑えることにより、エアフィルタ１８の表面の塵埃がエアフィルタ１８の裏面に移動することを抑えることができる。また、押圧部材４０により、エアフィルタ１８の網目内に詰まった塵埃をエアフィルタ１８の表面側に移動させることができる。その結果、エアフィルタの裏面側に塵埃回収部を設ける必要性を無くすことができ、装置を小型化することができる。
【００４４】
なお、押圧部材４０は、ブラシ３０がエアフィルタ１８の網目を貫通しないように、あるいは、エアフィルタ１８の網目を塞ぐように構成されることが好ましい。例えば、押圧部材４０は、図８に示すように、ブラシ３０よりも短く且つエアフィルタ１８の網目内に侵入可能な毛を有するブラシで構成されることが好ましい。また、押圧部材４０は、ゴム、シリコン、エラストマーなどの軟質性樹脂や、フェルトなどの短い毛を有するシート状部材で構成されることが好ましい。
【００４５】
図４に示す状態からギヤ２６が更に正方向に回転され、図５に示すようにエアフィルタ１８が第２保持空間２０Ｂに到達する、すなわち、エアフィルタ１８の往路の搬送が終了すると、ギヤ２６の正方向の回転が停止される。このとき、ブラシ３０の末端部３０Ａの少なくとも一部は、エアフィルタ１８の清掃領域外にあるエアフィルタ１８の後端部（枠体部分）１８Ｃに接触した状態にある。
【００４６】
その後、ブラシ保持部３４が正方向に回転され、図６及び図７に示すように、ブラシ３０がブレード３２に接触する位置で揺動される。これにより、ブラシ３０に付着した塵埃が塵埃回収部３６内に掻き落とされる。このとき、塵埃の大部分は紙縒のように纏められた状態にあるので、塵埃が飛散してエアフィルタ１８に再付着することを抑えることができる。
【００４７】
ブレード３２によるブラシ３０に付着した塵埃の除去が終了すると、ブラシ保持部３４が逆方向に回転され、ブラシ３０がエアフィルタ１８と接触する位置に復帰する。その後、ギヤ２６が逆方向に回転され、エアフィルタ１８の復路の搬送が開始される。
【００４８】
エアフィルタ１８の復路の搬送の間、ブラシ保持部３４は、ブラシ３０をエアフィルタ１８と接触する位置で固定する。これにより、エアフィルタ１８に付着した塵埃は、定位置で固定されるブラシ３０で堰き止められ、ブラシ３０のエアフィルタ１８の搬送方向の上流側に溜められる。
【００４９】
エアフィルタ１８の復路の搬送が終了すると、ギヤ２６の逆方向の回転が停止される。その後、ブラシ保持部３４が正方向に回転され、ブラシ３０がブレード３２に接触する位置で揺動される。これにより、ブラシ３０に付着した塵埃が塵埃回収部３６内に掻き落とされる。このとき、塵埃の大部分は紙縒のように纏められた状態にあるので、塵埃が飛散してエアフィルタ１８に再付着することを抑えることができる。
【００５０】
ブレード３２によるブラシ３０に付着した塵埃の除去が終了すると、エアフィルタ１８の清掃動作が完了する。
【００５１】
次に、図９及び図１０を用いて、ブレード３２に付着した塵埃の清掃動作について説明する。図９及び図１０は、ブレード３２の清掃に関連する装置及び部材の動作を模式的に示す断面図である。なお、ブレード３２の清掃動作は、図示しない制御部の制御の下で行われる。
【００５２】
図９及び図１０に示すように、ブラシ保持部３４には、ブレード３２に付着した塵埃を除去するリブ３４Ｂが設けられている。図６及び図７を用いて上述したブレード３２によるブラシ３０に付着した塵埃の除去が終了すると、ブラシ保持部３４が軸回りに回転され、図９及び図１０に示すように、リブ３４Ｂがブレード３２に接触する位置で揺動される。これにより、ブレード３２がリブ３４Ｂにより弾かれ、ブレード３２に付着した塵埃がブレード３２から離れ、塵埃回収部３６内に回収される。
【００５３】
なお、ブレード３２の清掃動作を行うタイミングは、特に限定されるものではなく、エアフィルタ１８の清掃動作時に行っても、それ以外の時に行ってもよい。
【００５４】
次に、図１１及び図１２を用いて、ブレード３２、ブレード保持部３８、及び塵埃回収部３６の構成について、より具体的に説明する。図１１は、ブレード３２、ブレード保持部３８、及び塵埃回収部３６の構成を示す斜視図である。図１２は、ブレード３２、ブレード保持部３８、及び塵埃回収部３６の構成を示す断面図である。
【００５５】
図１１及び図１２に示すように、塵埃回収部３６は、底面から上部開口部に向けて延び、ブレード保持部３８を回転可能に支持する複数の支持部材４２を備えている。各支持部材４２は、例えば、板状部材で構成されている。複数の支持部材４２により、ブレード保持部３８の撓みを抑えて、塵埃回収部３６の塵埃の回収空間を広く確保することができる。
【００５６】
ブレード保持部３８は、塵埃回収部３６の上部開口部の近傍に着脱可能に取り付けられている。ブレード保持部３８が着脱可能であることにより、ブレード保持部３８を塵埃回収部３６から取り外して両者の清掃を容易に行うことができる。
【００５７】
また、ブレード保持部３８は、ブラシ３０の延在方向に対してブレード３２の基端部３２Ｂの延在方向が斜めになるように、ブレード３２の基端部３２Ｂを保持している。言い換えれば、ブレード保持部３８は、上方から見て室内機の幅方向Ｘ及び奥行き方向Ｙに対してブレード３２の基端部３２Ｂの延在方向が斜めになるように、ブレード３２の基端部３２Ｂを保持している。このため、ブラシ３０が回転した際、ブラシ３０がブレード３２に接触する位置が時間とともに変化する。これにより、ブラシ保持部３４にかかる負荷を低減（分散）して、ブラシ保持部３４のトルクを低減することができる。
【００５８】
また、ブレード３２は、ブラシ３０の延在方向（室内機の幅方向Ｘ）に対する末端部３２Ａの延在方向の傾斜角度が、ブラシ３０の延在方向に対する基端部３２Ｂの延在方向の傾斜角度よりも小さくなるように、板状部材にねじりを加えた形状に形成されている。これにより、ブラシ３０とブレード３２の末端部３２Ａとをより均一に接触させることができ、ブレード３２の末端部３２Ａによるブラシ３０に付着した塵埃の除去ムラを低減することができる。
【００５９】
なお、図１３に示すように、ブラシ３０の回転軌跡３０Ｃ内に位置するブレード３２の長さが、略均一になるように構成されることが好ましい。これにより、ブラシ３０とブレード３２の末端部３２Ａとを、ブレード３２の末端部３２Ａのいずれの部分においても略均一に接触させることができ、ブレード３２の末端部３２Ａによるブラシ３０に付着した塵埃の除去ムラをより一層低減することができる。なお、図１３は、ブラシ３０の回転軸３０Ｄとブレード３２の一端部を結ぶ直線と、ブラシ３０の回転軸３０Ｄとブレード３２の他端部とを結ぶ直線とが角度θ傾斜するように、ブレード３２にねじりを加えた例を示している。
【００６０】
なお、ブレード３２の末端部３２Ａには、図１４に示すように、ブラシ３０と接触する位置に凸状部３２Ａａが設けられることが好ましい。これにより、ブレード３２自身に塵埃が付着することを抑えるとともに、ブラシ３０に付着した塵埃の除去効果を向上させることができる。
【００６１】
また、図１４に示すように、塵埃回収部３６の上部開口部を上方から見てブレード保持部３８を境として２つの開口部４４Ａ，４４Ｂに分けた場合、凸状部３２Ａａが位置する側の開口部４４Ａが、凸状部３２Ａａが位置しない側の開口部４４Ｂに比べて大きくなるように構成することが好ましい。これにより、凸状部３２Ａａにより掻き落としたブラシ３０に付着した塵埃を、より広い開口部４４Ａを通じて塵埃回収部３６に溜めることができ、塵埃の回収効率を向上させることができる。
【００６２】
また、図１４に示すように、ブレード保持部３８は、凸状部３２Ａａが位置する側の基端部３２Ｂを保持する第１保持部３８Ａと、凸状部３２Ａａが位置しない側の基端部３２Ｂを保持する第２保持部３８Ｂとを備え、第２保持部３８Ｂは、第１保持部３８Ａよりもブレード３２の末端部３２Ａ側に突出していることが好ましい。これにより、ブレード３２が、凸状部３２Ａａが位置しない側、すなわち、より小さい開口部４４Ｂ側に倒れることを抑えることができる。その結果、ブラシ３０に付着した塵埃をより確実に、広い開口部４４Ａを通じて塵埃回収部３６に溜めることができ、塵埃の回収効率を向上させることができる。
【００６３】
また、塵埃回収部３６は、ブラシ３０の下方に室内機の略全幅にわたって着脱可能に設けられることが好ましい。これにより、１つの塵埃回収部３６でより多くの塵埃を回収することができ、使い勝手を良くすることができる。
【００６４】
また、ブレード３２は、図１１に示すように、塵埃回収部３６内に複数個設けられることが好ましい。これにより、塵埃回収部３６内にブレード３２を１つ設ける場合よりも、ブラシ３０の延在方向Ｘに対する各ブレード３２の延在方向の傾斜角度を大きくすることができる。その結果、ブラシ保持部３４にかかる負荷をより一層低減（分散）させて、ブラシ保持部３４のトルクを低減することができる。
【００６５】
次に、図１５を用いて、塵埃回収部３６内に回収された塵埃を圧縮する動作について説明する。図１５は、ブレード３２が塵埃回収部３６内に回収された塵埃を圧縮する様子を模式的に示す断面図である。なお、塵埃回収部３６内の塵埃の圧縮動作は、図示しない制御部の制御の下で行われる。
【００６６】
図１５に示すように、塵埃回収部３６には、ブレード３２の回転軌跡３２Ｃ内に位置し、塵埃回収部３６内の空間を前後に区画する区画壁３６Ａが設けられている。区画壁３６Ａは、塵埃回収部３６の底部から上方に向けて立設されている。塵埃回収部３６内の前方の空間（図１５では左側）に回収された塵埃は、ブレード３２が回転軸３２Ｄを中心として正方向に回転され、ブレード３２の側面と区画壁３６Ａの表面との間に挟まれることにより圧縮される。塵埃回収部３６内の後方の空間（図１５では右側）に回収された塵埃は、ブレード３２が回転軸３２Ｄを中心として逆方向に回転され、ブレード３２の側面と区画壁３６Ａの表面との間に挟まれることにより圧縮される。
【００６７】
図１５に示すように区画壁３６Ａを設けることにより、塵埃回収部３６内の塵埃を、区画壁３６Ａの表面とブレード３２の側面との間でより効率良く圧縮することができる。
【００６８】
なお、ブレード３２の回転軸３２Ｄは、ブレード３２の基端部３２Ｂの近傍に位置していることが好ましい。この場合、回転軸３２Ｄをブレード３２の末端部３２Ａ側に設けるよりも、ブレード３２の側面でより多くの塵埃回収部３６内の塵埃を圧縮することができ、塵埃回収部３６内の塵埃の圧縮効率を向上させることができる。
【００６９】
また、図１５に示すように、ブレード３２が回転する際、ブレード３２の末端部３２Ａが塵埃回収部３６の内表面（例えば、側面）と接触するように構成されること好ましい。ブレード３２の末端部３２Ａが塵埃回収部３６の内表面と接触することで、ブレード３２により塵埃回収部３６内の塵埃をより広い範囲でかき集めることができ、塵埃回収部３６内の塵埃の圧縮効率をより一層向上させることができる。
【００７０】
以上、本実施の形態にかかる空気調和機によれば、ブレード３２を回転させることにより、塵埃回収部３６内に掻き落とした塵埃をブレード３２の側面と塵埃回収部３６の内表面となる区画壁３６Ａの表面との間で圧縮するようにしているので、塵埃回収部３６内の塵埃をより一層圧縮することができる。また、塵埃回収部３６内の塵埃を圧縮するのに、ブラシ３０に付着した塵埃を塵埃回収部３６に掻き落とすブレード３２を利用するので、特許文献１の空気調和機のように圧縮専用の部材を設ける必要がない。
【００７１】
なお、本発明は前記実施の形態に限定されるものではなく、その他種々の態様で実施できる。例えば、前記では、塵埃回収部３６内の塵埃をブレード３２の側面と区画壁３６Ａの表面との間で圧縮するようにしたが、本発明はこれに限定されない。例えば、塵埃回収部３６内の塵埃をブレード３２の側面と塵埃回収部３６の底面又は側面との間で圧縮するようにしてもよい。すなわち、塵埃回収部３６内の塵埃を、ブレード３２の側面と塵埃回収部３６の内表面との間で圧縮するように構成すればよい。この場合でも、従来よりも塵埃回収部３６内の塵埃を圧縮することができる。
【００７２】
また、前記では、ブレード３０を正逆両方向に回転させることにより、塵埃回収部３６内に掻き落とした塵埃をブレード３０の側面と塵埃回収部３６の内表面との間で圧縮するように構成したが、本発明はこれに限定されない。例えば、ブレード３０を正方向又は逆方向のいずれか一方にのみ回転させることにより、塵埃回収部３６内に掻き落とした塵埃をブレード３０の側面と塵埃回収部３６の内表面との間で圧縮するように構成してもよい。
【産業上の利用可能性】
【００７３】
以上のように、本発明にかかる空気調和機は、塵埃回収部内の塵埃をより一層圧縮することができるので、一般家庭で使用される空気調和機を含む様々な空気調和機として有用である。
【符号の説明】
【００７４】
２    本体
２ａ  前面開口部
２ｂ  上面開口部
４    前面パネル
６    熱交換器
８    ファン
１０    吐出口
１２    上下風向変更羽根
１４    左右風向変更羽根
１６    通風路
１８    エアフィルタ
１８Ａ  先端部
１８Ｂ  網部分
１８Ｃ  後端部
２０    フィルタ保持部材
２０Ａ  第１保持空間
２０Ｂ  第２保持空間
２２    フィルタ搬送装置
２４    シャフト
２６    ギヤ
２８    ガイド部材
３０    ブラシ
３０Ａ  末端部
３０Ｂ  基端部
３０Ｃ  回転軌跡
３０Ｄ  回転軸
３２    ブレード
３２Ａ  末端部
３２Ａａ  凸状部
３２Ｂ  基端部
３２Ｃ  回転軌跡
３２Ｄ  回転軸
３４    ブラシ保持部（ブラシ移動装置）
３４Ａ  誘導部
３４Ｂ  リブ
３６    塵埃回収部
３６Ａ  区画壁
３８    ブレード保持部（ブレード回転装置）
３８Ａ  第１保持部
３８Ｂ  第２保持部
４０    押圧部材
４２    支持部材
４４Ａ，４４Ｂ  開口部
【図１】
2014074504.tif 000003
【図２】
2014074504.tif 000004
【図３】
2014074504.tif 000005
【図４】
2014074504.tif 000006
【図５】
2014074504.tif 000007
【図６】
2014074504.tif 000008
【図７】
2014074504.tif 000009
【図８】
2014074504.tif 000010
【図９】
2014074504.tif 000011
【図１０】
2014074504.tif 000012
【図１１】
2014074504.tif 000013
【図１２】
2014074504.tif 000014
【図１３】
2014074504.tif 000015
【図１４】
2014074504.tif 000016
【図１５】
2014074504.tif 000017